(57)【要約】 【課題】  掲示部材を取付け面に固定する固定具であって、掲示部材を安定して保持した状態で、締め付け部材の頭部を意図した姿勢に変化させることができる構成を提供する。【解決手段】  掲示部材取付具１０は、掲示パネル２を取付け面４０に取り付けるためのものであり、取付け面４０に固定される固定部材２０と、この固定部材２０のうち取付け面４０とは反対側に螺合される締め付け部材３０とを備えており、掲示パネル２を固定部材２０と締め付け部材３０との間に挟み付けることで掲示パネル２を取付け面４０に固定する構成をなしている。そして、締め付け部材３０は、固定部材２０に螺合可能なネジ部材３９と、このネジ部材３９に対してその螺合軸Ｘに関して所定の角度範囲内においてのみ回動が許容された頭部３４とを備えており、掲示パネル２を固定部材２０及びネジ部材３９によって保持した状態で、頭部３４の姿勢を調整できるように構成されている。【選択図】  図６
2006343505.tif 000002
【特許請求の範囲】
【請求項１】
掲示部材を取り付けるための取付け面に固定される固定部材と、この固定部材のうち前記取付け面とは反対側に螺合される締め付け部材とを備え、前記掲示部材を前記固定部材と前記締め付け部材との間に挟み付けることで前記掲示部材を前記取付け面に固定するものにおいて、
前記締め付け部材は、前記固定部材に螺合可能なネジ部材と、このネジ部材に対してその螺合軸に関して所定の角度範囲内においてのみ回動が許容された頭部とを備えることを特徴とする掲示部材取付具。
【請求項２】
前記ネジ部材には前記螺合軸と交差する方向に突出するストッパピンが設けられ、前記頭部にはその回動方向に関して前記ストッパピンの両側に位置して前記ストッパピンが当接する当接部が設けられていることを請求項１に記載の掲示部材取付具。
【請求項３】
前記頭部は、前記ネジ部材に対して前記螺合軸を中心に回動可能に取り付けられた基部と、この基部を覆うように取り付けられる飾りカバーとを備え、前記当接部は前記基部に設けられると共に、前記飾りカバーは前記当接部の外周面に設けた雄ネジ部に螺合して取り付けられるようにされていることを特徴とする請求項２記載の掲示部材取付具。
【発明の詳細な説明】
【技術分野】
【０００１】
本発明は、掲示部材取付具に関する。
【背景技術】
【０００２】
従来より、表札や看板などの各種掲示部材を所定の取付け面に取り付けることにより掲示する方法が広く知られている。このような掲示部材に関する技術としては、例えば特許文献１のようなものが提供されている。
【０００３】
【特許文献１】特開平１０−１１６０４５号公報
【発明の開示】
【発明が解決しようとする課題】
【０００４】
表札や看板などの掲示部材を、例えばレンガやコンクリートなどの取付け面（即ち壁面）に取り付ける方法として、ねじ孔が形成された固定部材を何らかの方法（例えば、ねじ部材による締結や接着材などによる接着など）で壁面に予め固定しておき、その固定部材をベースとして掲示部材を取り付ける方法が考えられる。その具体例としては、固定部材の前方側（壁面とは反対の視認側）にねじ孔を設け、ネジ部材を備えた所定の締め付け部材を、掲示部材に形成された取付け孔を介して固定部材に締め付けるようにし、両部材の間で掲示部材を保持する構成が挙げられる。このようにすると、固定部材及び締め付け部材の螺合により、容易に掲示部材を保持できると共に、掲示部材の取り外しも容易に行うことができ、利便性の高い構成となる。
【０００５】
上述のように、固定部材に対して締め付け部材を締結する構成を用いると、掲示部材を容易に着脱でき、利便性の高いものとなるが、この構成を用いると、締め付け部材の最終的な姿勢が一定に定まらないという問題がある。即ち、締め付け部材の最終的な姿勢は、固定部材に対してどの程度締め付けたかに起因するものであり、螺合開始位置、掲示部材の厚さ等によって様々に変化するものであるため、状況に応じて様々な状態となる。しかしながら、締め付け部材は掲示部材の前方から当該掲示部材を締め付けるものであり、特に掲示部材の前方に配される頭部（締め付け部材における取付け面とは反対側の先端側部分）は掲示部材と共に前方から視認されるため、掲示者等が意図した姿勢で収まるのが望ましく、上述のように締め付け部材の最終的な姿勢がばらつくことでそれに応じて頭部が意図しない姿勢で定まってしまうことは好ましくない。
【０００６】
本発明は上記のような事情に基づいて完成されたものであって、掲示部材を取付け面に固定する固定具であって、掲示部材を安定して保持した状態で、締め付け部材の頭部を掲示者の意図した姿勢に変化させることができる構成を提供することを目的とする。
【課題を解決するための手段】
【０００７】
上記の目的を達成するための手段として、請求項１の発明は、
掲示部材を取り付けるための取付け面に固定される固定部材と、この固定部材のうち前記取付け面とは反対側に螺合される締め付け部材とを備え、前記掲示部材を前記固定部材と前記締め付け部材との間に挟み付けることで前記掲示部材を前記取付け面に固定する掲示部材取付具において、
前記締め付け部材は、前記固定部材に螺合可能なネジ部材と、このネジ部材に対してその螺合軸に関して所定の角度範囲内においてのみ回動が許容された頭部とを備えることを特徴とする。
【０００８】
請求項２の発明は、請求項１に記載の掲示部材取付具において、
前記ネジ部材には前記螺合軸と交差する方向に突出するストッパピンが設けられ、前記頭部にはその回動方向に関して前記ストッパピンの両側に位置して前記ストッパピンが当接する当接部が設けられていることを特徴とする。
【０００９】
請求項３の発明は、請求項２記載の掲示部材取付具において、
前記頭部は、前記ネジ部材に対して前記螺合軸を中心に回動可能に取り付けられた基部と、この基部を覆うように取り付けられる飾りカバーとを備え、前記当接部は前記基部に設けられると共に、前記飾りカバーは前記当接部の外周面に設けた雄ネジ部に螺合して取り付けられるようにされていることを特徴とする。
【発明の効果】
【００１０】
＜請求項１の発明＞
請求項１の構成では、締め付け部材において、固定部材に螺合可能なネジ部材と、このネジ部材に対してその螺合軸に関して所定の角度範囲内においてのみ回動が許容された頭部とが設けられている。頭部は所定の角度範囲内においてのみ回動が許容されているため、頭部に対して所定の角度範囲を超える回動操作を行えば、頭部とネジ部材とが一体的に回動することとなり、固定部材に対する締め付け操作が可能となる。
一方、頭部がネジ部材に対して所定の角度範囲内で回動が許容されているため、固定部材に対してネジ部材を安定的に締め付けた後、ネジ部材と固定部材との螺合状態を維持しつつ、ネジ部材に対して頭部を相対変位させることができる。従って、固定部材に対する締め付け部材の締結操作を容易に行うことができると共に、掲示部材を安定的に保持した状態で、締め付け部材の頭部の姿勢を容易に変化させうる構成となる。
【００１１】
＜請求項２の発明＞
請求項２のように、ネジ部材において螺合軸と交差する方向に突出するストッパピンを設け、頭部においてその回動方向に関してストッパピンの両側に位置してストッパピンが当接する当接部を設けるようにすれば、ネジ部材に対する頭部の回動が、所定の角度範囲内においてのみ許容される構成を、複雑な構成と採ることなく簡易に実現できる。
【００１２】
＜請求項３の発明＞
請求項３のように、頭部において、ネジ部材に対して螺合軸を中心に回動可能に取り付けられた基部と、この基部を覆うように取り付けられる飾りカバーとを設け、基部に設けられた当接部に飾りカバーを螺合して取り付けるようにすれば、ネジ部材に対して頭部を相対変位可能としつつ、飾りカバーを着脱可能とする構成を簡易に実現できる。
【発明を実施するための最良の形態】
【００１３】
＜実施形態１＞
本発明の実施形態１について図面を参照して説明する。
図１は、本発明の実施形態１に係る掲示部材取付具１０を用いて掲示パネル２（掲示パネル２は特許請求の範囲でいう掲示部材に相当する）を取付け面４０に取り付けた様子を示す斜視図である。図２は、掲示部材取付具１０を掲示パネル２及び取付け面４０と共に示す断面図である。図３は、掲示部材取付具１０の分解斜視図である。図４は、締め付け部材を構成する各要素を示す斜視図である。図５は、飾りカバーを取り外した様子を示す斜視図である。図６は、締め付け部材の頭部が回転する様子を説明する斜視図である。図７は、その様子を示す正面図である。なお、図６、図７では、飾りカバー３２を二点鎖線にて仮想的に示している。
【００１４】
図１に示すように、本発明の実施形態１に係る掲示部材取付具１０は、掲示パネル２（掲示パネル２は特許請求の範囲でいう掲示部材に相当する）を、木材、タイル、レンガ等の各種材質からなる壁部４１の取付け面４０に取り付けるためのものである。この掲示部材取付具１０は、取付け面４０に固定される固定部材２０と、この固定部材２０のうち取付け面４０とは反対側に螺合される締め付け部材３０とを備えており、掲示パネル２を固定部材２０と締め付け部材３０との間に挟み付けることで掲示パネル２を取付け面４０に固定する。
【００１５】
固定部材２０は、図２、図３に示すように、ネジ２３により取付け面４０に固定されるベース部２５と、このベース部２５に装着される支持部材２１とを備えている。ベース部２５の外周には雄ネジ部２５ａが形成されており、支持部材２１の内周壁には第１雌ネジ部２１ａが形成され、雄ネジ部２５ａと雌ネジ部２１ａの螺合により支持部材２１がベース部２５に固定され取付け面４０に保持される。また、支持部材２１における取付け面４０とは反対側には、第２雌ねじ部２１ｂが形成されており、この第２雌ねじ部２１ｂが後述する締め付け部材３０と螺合することとなる。掲示パネル２１は、支持部材２１における取付け面４０とは反対側の端面２１ｃによって支持される構成をなしている。
【００１６】
締め付け部材３０は、図２、図３に示すように、掲示パネル２を固定部材２０とは反対側から保持するように装着されるものであり、固定部材２０に螺合可能なネジ部材３９と、このネジ部材３９に対してその螺合軸Ｘに関して所定の角度範囲内（本実施形態では９０°の範囲）においてのみ回動が許容された頭部３４とを備えおり、これらネジ部材３９及び頭部３４が一体的に結合したユニットとして構成されている。なお、螺合軸Ｘは、ネジ部材３９と固定部材２０との螺合の中心（回転中心）を指している。
【００１７】
ネジ部材３９は、図３、図４（ａ）に示すように、雄ネジ状に構成されたネジ部３９ａと、フランジ部３９ｂと、フランジ部３９ｂからネジ部３９ａとは反対側に突出する突出部３９ｃとを備えている。このネジ部材３９には螺合軸Ｘと交差する方向に突出するストッパピン３５が設けられている。
【００１８】
頭部３４は、図２、図３に示すように、ネジ部材３９に対して螺合軸Ｘを中心に回動可能に取り付けられる基部３７と、この基部３７を覆うように取り付けられる飾りカバー３１とを備えている。基部３７は、孔３７ｂが形成された円環状の基端部３７ｃから一対の当接部３７ａ、３７ａが螺合軸Ｘの方向に沿って突出する形態をなしている。孔３７ｂには、ネジ部材３９の突出部３９ｃが挿入されており、突出部３９ｃに抜け止め部材３３が装着されることで、突出部３９ｃの孔３７ｂからの抜け止めがなされている。
【００１９】
具体的には、抜け止め部材３３には、後方側（即ち取付け面４０側）が開口する穴３３ａと、螺合軸Ｘと直交する方向において抜け止め部材３３を貫通する貫通孔３３ｂとが形成されている。一方、突出部３９ｃには貫通孔３９ｄが形成されている。そして、突出部３９ｃを穴３３ａに挿入すると、貫通孔３３ｂと貫通孔３９ｄが連通し、この連通状態でストッパピン３５を貫通孔３３ｂ及び貫通孔３９ｄに挿入して挿入状態で保持することにより抜け止め部材３３が突出部３９ｃに装着されることとなる。
【００２０】
ストッパピン３５を挿入状態で保持する方法としては、ストッパピン３５を圧入により貫通孔３３ｂ及び貫通孔３９ｄに挿入させるようにしてもよく、接着剤等によりストッパピン３５を接着することにより挿入状態で保持するようにしてもよい。
【００２１】
基部３７に設けられた、２つの当接部３７ａ，３７ａは、図５、図６、図７に示すように、当該基部３７の回動方向に関してストッパピン３５の両側に位置しており、基部３７がネジ部材３９に対して所定の回動範囲以上回動しようとすると当接部３７ａ，３７ａがストッパピン３５と当接するように構成されている。また、当接部３７ａ、３７ａの外面には、雄ネジ部３７ｄが形成されており、この雄ネジ部３７ｄが、飾りカバー３１に形成された雌ネジ部３１ａと螺合するように構成されている。
【００２２】
また、図２、図３に示すように、抜け止め部材３３と基部３７の間には環状の緩衝部材３６が設けられている。緩衝部材３６は、例えばゴム等の樹脂材料によって構成できる。また、ネジ部材３９のフランジ部３９ｂと掲示パネル２の間にはワッシャ３８が介在している。
【００２３】
上記のような構成をなす締め付け部材３０を固定部材２０に締め付ける場合、掲示パネル２の取り付け孔２ａにネジ部材３９のネジ部３９ａを挿通させて第２雌ねじ部２１ｂと螺合させるようにする。螺合の際には、図６（ａ）のように飾りカバー３１を時計回りに回転させるようにすることで、当接部３７ａがストッパピン３５に当接してネジ部材３９が押し回される。
【００２４】
そして、ネジ部材３９が固定部材２０に安定して締結されるまで飾りカバー３１を回転させる。ネジ部材３９が固定部材２０に安定して締結されると（図７（ａ）は安定して締結された状態を示す）、ストッパピン３５は所定の位置に定まる。飾りカバー３１及び基部３７からなる頭部３４は、図７（ａ）の状態から反時計回りに所定角度回動できるため、図７（ｂ）のように姿勢を調整できる。
【００２５】
上記構成では、締め付け部材３０において、固定部材２０に螺合可能なネジ部材３９と、このネジ部材３９に対してその螺合軸Ｘに関して所定の角度範囲内においてのみ回動が許容された頭部３４とが設けられている。頭部３４は所定の角度範囲内においてのみ回動が許容されているため、頭部３４に対して所定の角度範囲を超える回動操作を行えば、頭部３４とネジ部材３９とが一体的に回動することとなり、固定部材２０に対する締め付け操作が可能となる。
【００２６】
一方、頭部３４がネジ部材３９に対して所定の角度範囲内で回動が許容されているため、図６（ａ）、図７（ａ）のように、固定部材２０に対してネジ部材３９を安定的に締め付けた後、図６（ｂ）、図７（ｂ）のように、ネジ部材３９と固定部材２０との螺合状態を維持しつつ、ネジ部材３９に対して頭部３４を相対変位させることができる。従って、固定部材２０に対する締め付け部材３０の締結操作を容易に行うことができると共に、掲示パネル２（掲示部材）を安定的に保持した状態で、締め付け部材３０の頭部３４の姿勢を容易に変化させうる構成となる。
【００２７】
また、本実施形態では、図２、図３等に示すように、ネジ部材３９において螺合軸Ｘと交差する方向に突出するストッパピン３５を設け、頭部３４においてその回動方向に関してストッパピン３５の両側に位置してストッパピン３５が当接する当接部３７ａ、３７ａを設けている。従って、ネジ部材３９に対する頭部３４の回動が所定の角度範囲内においてのみ許容される構成を、複雑な構成と採ることなく簡易に実現可能となっている。
【００２８】
また、頭部３４において、ネジ部材３９に対して螺合軸Ｘを中心に回動可能に取り付けられた基部３７と、この基部３７を覆うように取り付けられる飾りカバー３１とが設けられており、基部３７に設けられた当接部３７ａ、３７ａに飾りカバーを螺合して取り付けるようにしている。従って、ネジ部材３９に対して頭部３４を相対変位可能としつつ、飾りカバー３１を容易に着脱できるようになっている。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３０】
（１）上記実施形態では、正面視（螺合軸Ｘと平行な方向において、掲示部材よりも取付け面側を背面側、取付け面とは反対側を正面側とする）した場合の外形が正四角形となる飾りカバー３１を用いたが、正面視した場合の外形はこれ以外の形状であってもよい。ある第１変位での姿勢と、それとは異なる第２変位での姿勢とが異なる形状であれば例えば、正多角形、星型その他の様々な形状のものを用いることができる。
【００３１】
（２）上記実施形態では、固定部材２０をネジ２３によって取付け面４０に固定する構成を例示したが、固定部材２０を取付け面に固定可能な方法であればこの構成に限られない。例えば、ベース部２３を接着剤などにより取付け面４０の固定する構成などであってもよく、それ以外の他の方法によって固定してもよい。
【００３２】
（３）上記実施形態では、一枚板状の掲示パネル２を取り付ける例を示したが、固定対象となる掲示部材はこれ以外の構成であってもよい。例えば、複数の板材が重なるように構成される掲示パネルなどであってもよい。また、固定する掲示部材は、看板、表札、絵画など様々な掲示部材を対象とすることができる。
【図面の簡単な説明】
【００３３】
【図１】本発明の実施形態１に係る掲示部材取付具を用いて掲示部材を取付け面に取り付ける様子を示す斜視図
【図２】図１の掲示部材取付具の断面図
【図３】図１の掲示部材取付具の分解斜視図
【図４】掲示部材取付具の各要素を示す斜視図
【図５】飾りカバーのみを取り外した状態を示す斜視図
【図６】頭部の姿勢を変化させる様子を説明する斜視図
【図７】頭部の姿勢を変化させる様子を説明する正面図
【符号の説明】
【００３４】
２…掲示パネル（掲示部材）
１０…掲示部材取付具
２０…固定部材
３０…締め付け部材
３１…飾りカバー
３４…頭部
３５…ストッパピン
３７…基部
３７ａ…当接部
３７ｄ…雄ネジ部
３９…ネジ部材
４０…取付け面
Ｘ…螺合軸
【図１】
2006343505.tif 000003
【図２】
2006343505.tif 000004
【図３】
2006343505.tif 000005
【図４】
2006343505.tif 000006
【図５】
2006343505.tif 000007
【図６】
2006343505.tif 000008
【図７】
2006343505.tif 000009